(57)【特許請求の範囲】
【請求項１】
回路遮断器を取り付け板に取り付けるための構造であって、前記回路遮断器の長手方向両側面に形成された突起部の一方は前記取り付け板に突設した係止片の係止穴に挿入して係止し、前記回路遮断器の突起部の他方は、板バネを折曲して形成され、前記回路遮断器の突起部を案内するための傾斜部と、前記回路遮断器の突起部と係止するための係止孔と、前記取り付け板に係合して固定するために胴部の下端に形成した係合爪とを有し、前記取り付け板の端部を折曲して形成した上板部に穿設された挿通孔に胴部を挿通させて、前記取り付け板の下板部に穿設した係合孔に係合爪を係合させて固定した取り付け具の前記係止孔に係止して固定することを特徴とする回路遮断器の取り付け構造。
【請求項２】
前記取り付け具の幅方向両端に前記回路遮断器の突起部が形成された側面との間に間隙を設けるための突片を形成したことを特徴とする請求項１に記載の回路遮断器の取り付け構造。
【請求項３】
前記取り付け板の上板部と下板部との間に形成された垂板部に前記取り付け具の胴部を撓ませる凸部を形成したことを特徴とする請求項１又は請求項２に記載の回路遮断器の取り付け構造。
【発明の詳細な説明】
【０００１】
【発明の属する技術分野】
本発明は、回路遮断器を取り付け板に取り付けるための構造に関する。
【０００２】
【従来の技術】
従来、図５に示すように回路遮断器２１を取り付け板２２に取り付けるには、螺子２４を回路遮断器２１に形成した螺子挿通孔２１ａに挿通させて取り付け板２２に締め付け固定していた。
【０００３】
また、図６に示すように回路遮断器３１の長手方向両側面に引っ掛け孔３１ａが設けられ、引っ掛け孔３１ａにクランク状に折曲形成した爪部材３３の先端を引っ掛け、螺子３４により取り付け板３２に締め付け固定していた。
【０００４】
また、図７に示すように取り付け板４２は断面略コ字状の両端縁から外側方向に鍔部４５ａを延設した形状に形成されたレール４５が固定され、回路遮断器４１の底面はレールが嵌入可能に凹部４１ａが形成され、この凹部４１ａの一方の側壁にレール４５の鍔部４５ａに係止する突起４１ｂが形成され、他方の側壁にガイド溝４１ｃが形成され、ガイド溝４１ｃには凹部４１ａ内に先端が突出するように弾性係合した係止爪４３が嵌め込まれている。回路遮断器４１をレール４５に取り付けるには、レール４５の一方の鍔部４５ａに回路遮断器４１の凹部４１ａの突起４１ｂを係止させ、上から回路遮断器４１を押し込むことにより、係止爪４３が他方の鍔部４５ａに押し当てられて外側にスライドし、更に押し込んで係止爪４３が鍔部４５ａを乗り越えると係止爪４３は弾性力により凹部４１ａ内にスライドして元の位置に戻り、鍔部４５ａに係止爪４３が係止することにより固定していた。
【０００５】
また、図８に示すように回路遮断器５１は長手方向両側面に引っ掛け孔５１ａ，５１ｂが設けられ、一方の引っ掛け孔５１ａは取り付け板５２に突設されている爪５２ａが係合され、他方の引っ掛け孔５１ｂは取り付け板５２に設けられた取り付け具５３が係合される。取り付け具５３は板バネを略直角に折曲して引っ掛け孔５１ｂに係合する係合部５３ａと、ヘアピン状に折曲して取り付け板５２に固定する固定部５３ｂと、取り付け板５２に係合させるための係合爪５３ｃとを有し、取り付け板５２の取り付け面に穿設した挿通孔５２ｂに取り付け具５３の固定部５３ｂを挿通させ、固定部５３ｂの先端に形成した係合爪５３ｃを取り付け板５２の取り付け面の端部に穿設した係合孔５２ｃに係合させて固定している。回路遮断器５１を取り付けるには、取り付け板５２の爪５２ａに回路遮断器５１の一方の引っ掛け孔５１ａを引っ掛け、回路遮断器５１を下方向に押し込むようにして他方の引っ掛け孔５１ｂに取り付け具５３の係合部５３ａを係合させて固定していた。
【０００６】
【発明が解決しようとする課題】
しかしながら、図５と図６に示す回路遮断器の取り付け構造は、ネジを締め付ける作業に時間がかかり、コストが高くなるという欠点があった。また、図７に示す回路遮断器の取り付け構造は、レールが必要なのでコストが高くなり、また、保持力が弱いため、輸送中等に脱落する虞があった。また、図８に示す回路遮断器の取り付け構造は、取り外しの際に取り付け具が矢印Ｂ方向に力が加わると伸びてしまい、保持力が低下して回路遮断器が脱落する虞があった。また、取り付け具の固定部を取り付け板の取り付け面と水平にして取り付け面に取り付け具の係合爪が係合させるため、取り付け板が寸法Ｃだけ大きくなるという欠点があった。
【０００７】
そこで上記問題点に鑑み、本発明の目的は、回路遮断器の取り付け時間を削減してコストを低減し、また、取り付け板の寸法を小さくすることができる回路遮断器の取り付け構造を提供することである。
【０００８】
【課題を解決するための手段】
上記目的を達成するために、請求項１に記載の発明によれば、回路遮断器を取り付け板に取り付けるための構造であって、回路遮断器の長手方向両側面に形成された突起部の一方は取り付け板に突設した係止片の係止穴に挿入して係止し、回路遮断器の突起部の他方は、板バネを折曲して形成され、回路遮断器の突起部を案内するための傾斜部と、回路遮断器の突起部と係止するための係止孔と、取り付け板に係合して固定するために胴部の下端に形成した係合爪とを有し、取り付け板の端部を折曲して形成した上板部に穿設された挿通孔に胴部を挿通させて、取り付け板の下板部に穿設した係合孔に係合爪を係合させて固定した取り付け具の係止孔に係止して固定することを特徴とする。
【０００９】
請求項２に記載の発明によれば、請求項１に記載の回路遮断器の取り付け構造において、取り付け具の幅方向両端に回路遮断器の突起部が形成された側面との間に間隙を設けるための突片を形成したことを特徴とする。
【００１０】
請求項３に記載の発明によれば、請求項１又は請求項２に記載の回路遮断器の取り付け構造において、取り付け板の上板部と下板部との間に形成された垂板部に取り付け具の胴部を撓ませる凸部を形成したことを特徴とする。
【００１１】
【発明の実施の形態】
請求項１に記載の発明によれば、回路遮断器を取り付け板に取り付けるための構造であって、回路遮断器の長手方向両側面に形成された突起部の一方は取り付け板に突設した係止片の係止穴に挿入して係止し、回路遮断器の突起部の他方は、板バネを折曲して形成され、回路遮断器の突起部を案内するための傾斜部と、回路遮断器の突起部と係止するための係止孔と、取り付け板に係合して固定するために胴部の下端に形成した係合爪とを有し、取り付け板の端部を折曲して形成した上板部に穿設された挿通孔に胴部を挿通させて、取り付け板の下板部に穿設した係合孔に係合爪を係合させて固定した取り付け具の係止孔に係止して固定することにより、回路遮断器の取り付け時間を削減してコストを低減し、また、取り付け板の寸法を小さくすることができる。
【００１２】
請求項２に記載の発明によれば、請求項１に記載の回路遮断器の取り付け構造において、取り付け具の幅方向両端に回路遮断器の突起部が形成された側面との間に間隙を設けるための突片を形成したことにより、回路遮断器を容易に取り付けることができる。
【００１３】
請求項３に記載の発明によれば、請求項１又は請求項２に記載の回路遮断器の取り付け構造において、取り付け板の上板部と下板部との間に形成された垂板部に取り付け具の胴部を撓ませる凸部を形成したことにより、取り付け具を取り付け板に確実に固定することができる。
【００１４】
【実施例】
本発明に係る回路遮断器の取り付け構造の一実施例を図１〜図３の添付図面に基づいて説明する。
【００１５】
回路遮断器１はケースの長手方向両側面の下部中央に突起部１ａ，１ｂが形成されている。上面には操作ハンドル１ｃが設けられ、長手方向両側面の突起部１ａ，１ｂの上方には導体を接続するための差し込み孔１ｄが設けられている。
【００１６】
回路遮断器１を取り付けるための取り付け板２は取り付け面の一方の端部に切り込みを入れ、立ち上げて係止片２ａが突設され、係止片２ａには回路遮断器１の突起部１ａより僅かに大きい係止穴２ｂが穿設されている。他方の端部は取り付け具３が設けられる。
【００１７】
取り付け具３は、板バネを折曲して形成され、上部は回路遮断器１の突起部１ｂを案内するための傾斜部３ａが形成され、傾斜部３ａより下の垂直な胴部３ｂは回路遮断器１の突起部１ｂと係止するために突起部１ｂより僅かに大きい係止孔３ｃが穿設され、胴部３ｂの下端に取り付け板２に係合して固定するための係合爪３ｄが傾斜部３ａと反対方向に突出して形成されている。また、係止孔３ｃと略同一上下位置の胴部３ｂの左右両端に突片３ｅが係合爪３ｄと同一方向に突出して形成されている。
【００１８】
取り付け板２の他方の端部は略コ字状に折曲され、取り付け面となる上板部２ｃの折曲部に取り付け具３の胴部３ｂが挿通可能な挿通孔２ｄが穿設され、下板部２ｅの折曲部に取り付け具３の係合爪３ｄが係合する係合孔２ｆが穿設されている。また、上板部２ｃと下板部２ｅとの間の垂板部２ｇにはプレス等で外側から板厚を打ち抜かずに内側方向に突出させた凸部２ｈが形成されている。
【００１９】
取り付け具３を取り付け板２に取り付けるには、傾斜部３ａを外側方向にして取り付け板２の上方から挿通孔２ｄに取り付け具３の下端を挿通させる。この時、取り付け具３の胴部３ｂは取り付け板２の凸部２ｈに当接するため、内側から取り付け具の胴部３ｂを押して撓ませ、それから取り付け板２の係合孔２ｆに取り付け具３の係合爪３ｄを挿入係合させて固定する。このため、取り付け具３は簡単には外れなくなっている。
【００２０】
回路遮断器１を取り付け板２に取り付けるには、まず、回路遮断器１の一方の突起部１ａを係止片２ａの係止穴２ｂに斜め上から挿入して係止させ、他方の突起部１ｂを取り付け具３の傾斜部３ａに載置させる。そして回路遮断器１を下方向に押し込むことにより他方の突起部１ｂが傾斜部３ａを外側方向に変形し、更に押し込んで突起部１ｂが係止孔３ｃに係止すると傾斜部３ａが元の位置に戻ることにより固定される。
【００２１】
回路遮断器１の取り付け完了時、取り付け具３の突片３ｅは回路遮断器１の側面を押圧し長手方向の固定を行う。突片３ｅは取り付け具３と回路遮断器１の側面との間に間隙Ｌを形成するため、回路遮断器１の取り付けの際に取り付け具３の傾斜部３ａが小さい変形で回路遮断器１の突起部１ｂを取り付け具３の係止孔３ｃに係止させることができる。
【００２２】
回路遮断器１を取り外すには、傾斜部３ａを指で外側方向に押し拡げ、回路遮断器１の突起部１ｂが係止孔３ｂから外れると回路遮断器１を持ち上げて取り外すことができる。
【００２３】
尚、本実施例において、取り付け具及び取り付け板の形状について限定はなく、例えば、図４に示すように取り付け具１３が取り付け板１２の下側から挿入できるように取り付け板１２の下板部１２ｅの係合孔１２ｆは大きく形成し、取り付け具１３の左右両端に脱落防止用の弾性片１３ｆを形成し、取り付け具１３を下板部１２ｅの係合孔１２ｆから上板部１２ｃの挿通孔１２ｄに挿通させて、弾性片１３ｆと係合爪１３ｅとで固定する等、本発明の趣旨を逸脱しない範囲で適宜変更可能である。
【００２４】
【発明の効果】
以上説明したように請求項１に記載の発明によれば、回路遮断器を取り付け板に取り付けるための構造であって、回路遮断器の長手方向両側面に形成された突起部の一方は取り付け板に突設した係止片の係止穴に挿入して係止し、回路遮断器の突起部の他方は、板バネを折曲して形成され、回路遮断器の突起部を案内するための傾斜部と、回路遮断器の突起部と係止するための係止孔と、取り付け板に係合して固定するために胴部の下端に形成した係合爪とを有し、取り付け板の端部を折曲して形成した上板部に穿設された挿通孔に胴部を挿通させて、取り付け板の下板部に穿設した係合孔に係合爪を係合させて固定した取り付け具の係止孔に係止して固定することにより、回路遮断器の取り付け時間を削減することができるのでコストを低減し、取り付け具が取り付け板に垂直に取り付けられるので取り付け板の寸法を小さくすることができるという効果がある。
【００２５】
請求項２に記載の発明によれば、請求項１に記載の回路遮断器の取り付け構造において、取り付け具の幅方向両端に回路遮断器の突起部が形成された側面との間に間隙を設けるための突片を形成したことにより、回路遮断器の突起部を取り付け具の係止孔に係止させる際に取り付け具が小さい変形で突起部を係止させるので回路遮断器の取り付けに力を必要とすることなく容易に取り付けることができるという効果がある。
【００２６】
請求項３に記載の発明によれば、請求項１又は請求項２に記載の回路遮断器の取り付け構造において、取り付け板の上板部と下板部との間に形成された垂板部に取り付け具の胴部を撓ませる凸部を形成したことにより、取り付け板の挿通孔と凸部と係合孔の３点で取り付け具を撓ませて固定するので取り付け板に確実に固定することができるという効果がある。
【図面の簡単な説明】
【図１】本発明に係る回路遮断器を取り付け板に取り付けた状態を示す斜視図である。
【図２】本発明に係る回路遮断器を取り付け板に取り付ける様子を示し、（ａ）は取り付ける途中の状態、（ｂ）は取り付け完了の状態である。
【図３】図３のＡ部拡大図である。
【図４】本発明に係る回路遮断器の取り付け構造の変形実施例である。
【図５】従来の回路遮断器を取り付け板に螺子で固定する様子を示す正面図である。
【図６】従来の回路遮断器を取り付け板に爪部材を介して螺子で固定する様子を示す正面図である。
【図７】従来の回路遮断器を取り付け板にレールを介して固定する様子を示す正面図である。
【図８】従来の回路遮断器を取り付け板に取り付け具を介して固定する様子を示し、（ａ）は取り付ける途中の状態、（ｂ）は取り付け完了の状態である。
【符号の説明】
１…回路遮断器
１ａ，１ｂ…突起部
２…取り付け板
２ａ…係止片
２ｂ…係止穴
２ｃ…上板部
２ｄ…挿通孔
２ｅ…下板部
２ｆ…係合孔
２ｇ…垂板部
２ｈ…凸部
３…取り付け板
３ａ…傾斜部
３ｂ…胴部
３ｃ…係止孔
３ｄ…係合爪
３ｅ…突片
【図１】
0004641689.tif 000002
【図２】
0004641689.tif 000003
【図３】
0004641689.tif 000004
【図４】
0004641689.tif 000005
【図５】
0004641689.tif 000006
【図６】
0004641689.tif 000007
【図７】
0004641689.tif 000008
【図８】
0004641689.tif 000009